(57)【特許請求の範囲】
【請求項１】
引戸１側の錠ケース２に取り付けられ、かつ、キー操作によってシリンダー４と共に掛合方向へ回転するピニオン部材５及び鎌片６を一体的に備えた鎌錠３と、前記ピニオン部材５と噛合するように錠ケース２に上下動可能に内装され、かつ、ラックバネ２５により一方向に付勢されたラック部材２０と、戸枠２９に取り付けられた受け金具３３に設けられ、かつ、作動杆３５の突出端部に磁性体３６を備えたソレノイド３０と、このソレノイド３０の配設位置に対応して前記錠ケース２に軸支され、かつ、前記磁性体３６の極性に対応して反発する被磁性体４６を備えると共に、前記鎌片６が受け金具３３に掛合している時に前記ラック部材２０を係止する係止アーム４５を有する回転係合体４０とから成り、前記ソレノイド３０を遠隔制御装置により制御すると、回転係合体４０がバネ４２のバネ力により回転し、これによりラック部材２０は回転係合体４０から開放されると共にラックバネ２５のバネ力により初期位置へと復帰するのに伴い鎌片６の掛合が自動的に解消し、一方、鎌錠３のシリンダー４にキーを挿入して操作すると、錠ケース２に設けられ、かつ、回転係合体４０の係止を解除させる回転係合体用係止解除機構を介して鎌片６の掛合を解消させることを特徴とする非常口用電気ストライク。
【請求項２】
請求項１に於いて、係止解除機構６０は鎌錠３のシリンダー４に形成されたカム突起９と、このカム突起９によって回転するように錠ケースに枢支された第１伝動片６１と、この第１伝動片６１に押し出されるように錠ケースに枢支され、かつ、回転係合体４０と当接する第２伝動片６５とから成ることを特徴とする非常口用電気ストライク。
【請求項３】
請求項１に於いて、鎌錠３の鎌片６の掛合先端部の内側には、受け金具３３の開口３４の上側縁部と摺接するアール１０が形成されていることを特徴とする非常口用電気ストライク。
【請求項４】
引戸１Ａ側の錠ケース２Ａに取り付けられ、かつ、キー操作によってシリンダー４と共に掛合方向へ回転するピニオン部材５Ａ及び鎌片６Ａを一体的に備えた鎌錠３Ａと、前記ピニオン部材５Ａと噛合するように錠ケース２Ａに上下動可能に内装され、かつ、ラックバネ２５Ａにより一方向に付勢されたラック部材２０Ａと、戸枠２９Ａに取り付けられた受け金具３３Ａ内に固定的に設けられた電磁石３６Ａと、この電磁石３６Ａの配設位置に対応して前記錠ケース２Ａに軸支され、かつ、電磁石３６Ａの極性に対応して反発する被磁性体４６Ａを備えると共に、前記鎌片６が受け金具３３に掛合している時に前記ラック部材２０Ａを係止する係止アーム４５Ａを有する回転係合体４０Ａとから成り、前記電磁石３６Ａを遠隔制御装置により制御すると、回転係合体４０Ａがバネ４２のバネ力により回転し、これによりラック部材２０Ａは回転係合体４０Ａから開放されると共にラックバネ２５Ａのバネ力により初期位置へと復帰するのに伴い鎌片６Ａの掛合が自動的に解消し、一方、鎌錠３Ａのシリンダー４にキーを挿入して操作すると、錠ケース２Ａに設けられ、かつ、回転係合体４０Ａの係止を解除させる回転係合体用係止解除機構を介して鎌片６Ａの掛合を解消させることを特徴とする非常口用電気ストライク。
【発明の詳細な説明】
【０００１】
【発明の属する技術分野】
本発明は非常口用電気ストライクに関する。本発明は、例えば特別養護老人ホームや病院などの非常口用引戸に適する。
【０００２】
【従来の技術】
従来、特別養護老人ホームや病院などの非常口用引戸は、火災など非常事態の場合には、例えば遠隔制御装置の制御により、自動的に鎌錠を解錠状態にでき、キーがなくても直ちに引戸をあけることができることが望ましい。
【０００３】
【発明が解決しようとする課題】
しかしながら、従来、特別養護老人ホームや病院などの非常口用引戸に於いて、非常事態の場合に自動的に鎌錠のロック状態を解き、かつ、キーがなくても引戸をあけることができる非常口用電気ストライクが存在しない。
【０００４】
そこで、請求項１または請求項４記載の発明は、キー操作により引戸を閉じた際に鎌錠を施錠（ロック）状態にすることができる反面、火災など非常事態の場合に遠隔制御装置の制御により、キーがなくても自動的に鎌錠の施錠状態を解くことができる非常口用電気ストライクを提供することである。
【０００５】
【課題を解決するための手段】
本発明の非常口用電気ストライクは、引戸１側の錠ケース２に取り付けられ、かつ、キー操作によってシリンダー４と共に掛合方向へ回転するピニオン部材５及び鎌片６を一体的に備えた鎌錠３と、前記ピニオン部材５と噛合するように錠ケース２に上下動可能に内装され、かつ、ラックバネ２５により一方向に付勢されたラック部材２０と、戸枠２９に取り付けられた受け金具３３に設けられ、かつ、作動杆３５の突出端部に磁性体３６を備えたソレノイド３０と、このソレノイド３０の配設位置に対応して前記錠ケース２に軸支され、かつ、前記磁性体３６の極性に対応して反発する被磁性体４６を備えると共に、前記鎌片６が受け金具３３に掛合している時に前記ラック部材２０を係止する係止アーム４５を有する回転係合体４０とから成り、前記ソレノイド３０を遠隔制御装置により制御すると、回転係合体４０がバネ４２のバネ力により回転し、これによりラック部材２０は回転係合体４０から開放されると共にラックバネ２５のバネ力により初期位置へと復帰するのに伴い鎌片６の掛合が自動的に解消し、一方、鎌錠３のシリンダー４にキーを挿入して操作すると、錠ケース２に設けられ、かつ、回転係合体４０の係止を解除させる回転係合体用係止解除機構を介して鎌片６の掛合を解消させることを特徴とする。
【０００６】
上記構成に於いては、鎌錠３の鎌片６の掛合先端部の内側はアール１０に形成されている。また磁性体３６を備えたソレノイド３０に代え、電磁石３６Ａを錠ケース内に設けても良い。
【０００７】
【発明の実施の形態】
以下、図面に示す本発明の実施の形態を、非常口に於ける引戸の枠（縦框）に取り付けた鎌錠等を有する錠ケースと、前記鎌錠等に対する戸枠側に取り付けたソレノイドあるいは電磁石との関係で説明する。
【０００８】
まず図１ないし図６に基づき本発明の使用状態の一例について説明する。１は、例えば非常口の引戸である。この引戸１には、普通一般の引戸や引戸式の窓が含まれる。
【０００９】
次に２は引戸１の引戸枠内に固定的に装着された錠ケースで、この錠ケース２内には鎌錠３等が取り付けられている。鎌錠３は、本実施例では、図示しないキー又はサムターンで回動するシリンダー（ダルマあるいは回動体）４と、このシリンダー４の外周部に一体的に設けられたピニオン部材５と、前記シリンダー４及びピニオン部材５に一体的に設けられた鎌片６とから成る。したがって、例えばキーでシリンダー４を回転操作すると、ピニオン部材５及び鎌錠３もシリンダー４と一緒に掛合方向へ回転する。
【００１０】
ところで、前記ピニオン部材５は、その環状部７の略半分側に合計６個の係合歯８を有している。一方、前記シリンダー４は、その外周部に１個の山形状カム突起９を半径方向に有し、このカム突起９の位置はピニオン部材５の前記係合歯８に対して所要の間隔（一端側の係合歯に対して略７０度）が設定されている。
また前記鎌片６の掛合先端部の内側はアール１０に形成されていると共に、鎌片６の前記カム突起９寄りの後端部内側には、ストッパー面１１を有する小突起１２が設けられている。
【００１１】
次に２０はピニオン部材５と噛合するように図示しないガイド部材を介し錠ケース２に上下動可能に内装されたラック部材である。このラック部材２０はピニオン部材５の後方に縦方向に配設され、上端部寄りの部位から下端部に至って形成されたラック歯２１がピニオン部材５の係合歯８と噛合する。
【００１２】
ところで、ラック部材２０はラック歯２１を有する側の上端部に内面側テーパー状の係合突起２２を有すると共に、内部に切欠あるいは空洞部状のバネ収納部２３が形成されている。しかして、ラック部材２０は、錠ケース２の内壁面に固定されたバネ支持片２４に下端部が取り付けられかつバネ収納部２３内に収納されたラックバネ２５により、図２で示すように下降した際（鎌片３が受け金具３３に掛合した時）には上方方向に付勢されている。
【００１３】
次に３０は戸枠２９の外表面側に取り付けられたソレノイドである。このソレノイド３０の取り付け位置は、図１で示すように鎌片６が錠ケース２のフロント３１の開口３２及び戸枠２９側のボックス状受け金具３３の開口３４を介してそれぞれ受け金具３３内に回転進入する鎌錠３や後述する回転係合体との位置関係を考慮している。
【００１４】
しかして、ソレノイド３０は、本実施例では鎌片６の上方に位置するように受け金具３３内に縦方向に配設されていると共に、上下方向に伸縮動するソレノイド３０の作動杆３５の突出下端部には、磁性体３６が設けられている。そして、この磁性体３６はソレノイド３０が通電状態の場合に於いて、作動杆３５が上方方向に収縮すると、受け金具３３に形成した窓部３７に臨むことができる。
【００１５】
次に４０はソレノイド３０と対向するように錠ケース２内の鎌錠３よりも上方に配設された回転係合体である。この回転係合体４０は、本実施例では錠ケース２に横軸４１を介して枢支され、かつ、図２を基準にすると回転板用バネ４２で時計方向に付勢された回転板４３と、この回転板４３に下方方向に延設するように設けられた前方アーム４４と、この前方アーム４４に対向するように回転板４３に設けられたラック部材２０用の後方係止アーム４５と、前記前方アーム４４の下端部に固定的に設けられ、かつ、ソレノイド側の磁性体３６の極性に対応して反発する被磁性体４６とから成る。前記後方係止アーム４５は前方アーム４４よりも長く、その下端部にはラック部材２０がラックバネ２５のバネ力に抗して下降した時に、係合突起２２を介してラック部材２０を所定位置にストッパーする係止部４７が横方向に設けられている。またこれらのアーム４４、４５は回転板４３に一体的に設けられている。それ故に、被磁性体４６が対向する磁性体３６に反発して離れると、回転板４３は回転板用バネ４２のバネ力に抗して回転する。
【００１６】
次に６０は複数個の伝動片６１、６５が回転係合体４０の前方アーム４４と鎌錠３との間に位置するように錠ケース２に枢支され、かつ、ソレノイド３０が通電状態の場合に、キーによるピニオン部材５の回転操作により、ラック部材２０を所定位置にストッパーしている回転係合体４０の係止を解除させる回転係合体用係止解除機構である。この係止解除機構６０は鎌錠３のシリンダー４に形成されたカム突起９と、このカム突起９によって回転するように錠ケースに枢支された第１伝動片６１と、この第１伝動片６１に押し出されるように錠ケースに枢支され、かつ、回転係合体４０前方アーム４４あるいは被磁性体４６と当接する第２伝動片６５とから成る。
【００１７】
しかして、前記第２伝達片６５は、回転して鎌片６の小突起１２と係合するロック機能を有し、フロント３１の開口３２の付近で枢支ピンによって枢支された軸筒部６２と、この軸筒部６２から回転係合体４０の前方アーム４４の被磁性体４６に当接可能に延びた長杆部６３と、この長杆部６３に対して角度方向に延びかつ鎌片６の小突起１２と係合する短杆部６４とから成る。一方、前記第１伝動片６１は、第２伝動片６５の短杆部６４の係合を鎌片６の小突起１２から解除させる機能を有し、バネ６６により常時一方向に付勢されている。しかして、この第１伝動片６１は、鎌錠３のシリンダー４のカム突起９及び第２伝動片６５の長杆部６３とそれぞれ関わり合うように鎌錠３の上方でかつ第２伝動片６５よりも内側に枢支された軸筒部６７と、この軸筒部６７から第２伝動片６５の長杆部６３の下部寄りの部位に当接するように延びた押出し部６８と、この押出し部６８に対して角度方向に延びかつシリンダー４のカム突起９と係脱する被押出し部６９とから成る。
【００１８】
上記構成に於いて、まず図３はソレノイド３０が非通電の場合に於いて、ラック部材２０が回転係合体４０から開放され、該ラック部材２０がラックバネ２５のバネ力により初期位置へと復帰するのに伴い鎌片６の掛合が自動的に解消された状態を示す。この非通電時の状態は、停電時はもちろんであるが、例えば火災など非常時の場合に遠隔制御装置の制御によりなされる。
【００１９】
すなわち、非通電時の状態になると、ソレノイド３０の作動杆３５が下方方向へ伸び、その磁性体３６が回転係合体４０の被磁性体４６から離れる。そうすると、回転係合体４０はバネ４２のバネ力により時計方向に回転する。
【００２０】
しかして、回転係合体４０が回転すると、第２伝動片６５は第１伝動片６１の押出し部６８に押し出されながら前方アーム４４の被磁性体４６の動きに追従して回転し、これにより第２伝動片６５の短杆部６４と鎌片６の小突起１２との係合状態が解消される。一方、回転係合体４０の後方係止アーム４５も前方アーム４４と共に同じ方向へ回転し、これにより後方係止アーム４５の係止部４７がラック部材２０の係合突起２２から外れる。そうすると、ラック部材２０は回転係合体４０から開放されるので、そのラックバネ２５のバネ力により上昇する。したがって、ラック部材２０がラックバネ２５のバネ力により初期位置へと復帰するのに伴い鎌片６の掛合が自動的に解消する。
【００２１】
ところで、上記の場合ソレノイド３０が非通電時の状態になると、鎌片６の掛合が自動的に解消するが、本実施例では通電状態の場合に鎌錠３のシリンダー４にキーを挿入して鎌片６の掛合を解消させることもできる。
【００２２】
すなわち、鎌錠３のシリンダー４にキーを挿入してシリンダー４を回転すると、シリンダー４と共にピニオン部材５も反時計方向に回転するが、この時ラック部材２０を所定位置にストッパーしている回転係合体４０の係止を解除させる回転係合体用係止解除機構が働く。しかして、キー操作によりシリンダー４が回転すると、図６で示すように第１伝動片６１がカム突起９に押されて時計方向に回転する。そうすると、第２伝動片６５が第１伝動片６１に押し出され、その長杆部６３で回転係合体４０の被磁性体４６を錠ケース２のフロント３１側へと押す。これにより回転係合体４０が時計方向に回転するので、ラック部材２０は回転係合体４０の後方係止アーム４５から開放される。そこで、鎌片６の掛合の解消状態を維持しながら引戸１を開く。
【００２３】
次に図２はソレノイド３０が通電状態の場合に於いて、キー操作により鎌錠３の鎌片６が受け金具３３に回転掛合し、かつ、ラック部材２０が回転係合体４０によりストッパー（ロック）された場合を示す。
【００２４】
しかして、遠隔制御装置の制御によりソレノイド３０が通電状態になると、ソレノイド３０の作動杆３５が収縮し、その磁性体３６が受け金具３３の窓部３７へと移動して回転係合体４０の被磁性体４６に接近し、被磁性体４６は磁性体３６に反発してフロント３１から離れる。
【００２５】
そうすると、回転係合体４０はバネ４２のバネ力に抗して反時計方向に回転する。この時その前方アーム４４の被磁性体４６はフロント３１の窓部１４から離れるため、係止解除機構６０の第２伝動片６５は時計方向へ回転する。一方、回転係合体４０の後方係止アーム４５も前方アームと共に同じ方向へ回転するので、後方係止アーム４５の係止部４７はラック部材２０のラック歯２１に当接する。
【００２６】
そこで、図示しないキーをシリンダー４に挿入し、該シリンダー４を時計方向へ回転する。そうすると、図５で示すようにラック部材２０はラックバネ２５のバネ力に抗して下降する。ラック部材２０が下降して行くと、やがてラック部材２０の係合突起２２の内側テーパー面が後方係止アーム４５の係止部４７の下面と摺接し、ラック部材２０の係合突起２２の上面に後方係止アーム４５の係止部４７が乗る。その結果、鎌錠３の鎌片６は受け金具３３の開口３４に進入し、受け金具３３と掛合する。なお、鎌片６が受け金具３３に掛合する際、シリンダー４のカム突起９は第１伝動片６１の被押出し部６９に一旦摺接して他側へ移行する。
【００２７】
しかして、鎌錠３は、ラック部材２０が回転係合体４０により所定位置にストッパーされているので、また鎌片６の小突起１２のストッパー面１１が第２伝動片６５の短杆部６４と対向しているのでロック状態となり、したがって、引戸１を開けることができない。
【００２８】
【実施例】
以下、非常口用電気ストライクの実施例を列挙する。なお、実施例の説明に於いては、図面に発明の実施の形態で説明した符号をそのまま付し、あるいは同様の符号を付し、重複する説明を省略する。
【００２９】
まず、本発明の実施の形態で説明した第１実施例の構成は、「引戸１側の錠ケース２に取り付けられ、かつ、キー操作によってシリンダー４と共に掛合方向へ回転するピニオン部材５及び鎌片６を一体的に備えた鎌錠３と、前記ピニオン部材５と噛合するように錠ケース２に上下動可能に内装され、かつ、ラックバネ２５により一方向に付勢されたラック部材２０と、戸枠２９に取り付けられた受け金具３３に設けられ、かつ、作動杆３５の突出端部に磁性体３６を備えたソレノイド３０と、このソレノイド３０の配設位置に対応して前記錠ケース２に軸支され、かつ、前記磁性体３６の極性に対応して反発する被磁性体４６を備えると共に、前記鎌片６が受け金具３３に掛合している時に前記ラック部材２０を係止する係止アーム４５を有する回転係合体４０とから成り、前記ソレノイド３０を遠隔制御装置により制御すると、回転係合体４０がバネ４２のバネ力により回転し、これによりラック部材２０は回転係合体４０から開放されると共にラックバネ２５のバネ力により初期位置へと復帰するのに伴い鎌片６の掛合が自動的に解消し、一方、鎌錠３のシリンダー４にキーを挿入して操作すると、錠ケース２に設けられ、かつ、回転係合体４０の係止を解除させる回転係合体用係止解除機構を介して鎌片６の掛合を解消させること」である。
【００３０】
しかして、具体的な細部の構成は、発明の実施の形態で詳細に説明したので省略する。
【００３１】
次に図７及び図８は第２実施例の非常口用電気ストライクである。この非常口用電気ストライクは、引戸１Ａに固定的に装着された錠ケース２Ａと、この錠ケースに取り付けられ、かつ、シリンダー４Ａと共に回転するピニオン部材５Ａ及び鎌片６Ａを一体的に備えた鎌錠３Ａと、前記ピニオン部材５Ａと噛合するように錠ケース２Ａに上下動可能に内装され、かつ、ラックバネ２５Ａにより上方方向に付勢されるラック部材２０Ａと、戸枠２９Ａに取り付けられた受け金具３３Ａ内に固定的に設けられた電磁石３６Ａと、この電磁石３６Ａの配設位置に対応して前記錠ケース２Ａに軸支され、かつ、電磁石３６Ａの極性に対応して反発する被磁性体４６Ａを備えると共に前記ラック部材２０Ａを係止する後方係止アーム４５Ａを有する回転係合体４０Ａとから成る。
【００３２】
そして、前記電磁石３６Ａが通電状態の場合に、キーによるピニオン部材５Ａの回転操作により、ラックバネ２５Ａのバネ力に抗して下降したラック部材２０Ａを回転係合体４０Ａの後方係止アーム４５Ａが所定位置にストッパーし、一方、前記電磁石３６Ａが非通電状態になると、ラック部材２０Ａは回転係合体４０Ａから開放され、該ラック部材２０Ａがラックバネ２５Ａのバネ力により初期位置へと復帰するのに伴い鎌片６Ａの掛合が自動的に解消する。また、鎌錠３Ａのシリンダー４にキーを挿入して操作すると、錠ケース２Ａに設けられ、かつ、回転係合体４０Ａの係止を解除させる回転係合体用係止解除機構を介して鎌片６Ａの掛合を解消させることができる。
【００３３】
したがって、この第２実施例は、作動杆の突出先端部に磁性体を有するソレノイドに代えて電磁石３６Ａにした点が第１実施例と異なる。
【００３４】
【発明の効果】
以上の説明から明らかなように、本発明にあっては次に列挙するような効果がある。
（１）ソレノイドあるいは電磁石が通電状態の場合に於いて、引戸を閉じ、かつ、キー操作により鎌錠の鎌片の掛合方向へ回転すると、ラック部材がラックバネの力に抗して移動する。そうすると、回転係合体４０が自動的にラック部材２０を所定位置にストッパーする。したがって、キーでシリンダーを回転操作するだけで、鎌錠を施錠（ロック）状態にすることができる。
（２）一方、火災など非常事態の場合に遠隔制御装置の制御により、自動的に鎌錠の施錠（ロック）状態を解くことができると共に、キーがなくても直ちに引戸を開けることができる。
【図面の簡単な説明】
図１ないし図６は本発明の実施の形態を説明するための各説明図。特に図２ないし図６は本発明の第１実施例の各説明図。図７及び図８は本発明の第２実施例を示す各説明図。
【図１】第１実施例を用いた実施の形態を説明するための説明図（通電状態の場合）。
【図２】図１に於ける第１実施例の概略説明図（通電の場合に於いて、キー操作により鎌片を受け金具に掛合したロック状態）。
【図３】第１実施例の概略説明図（非通電状態の場合に於いて、自動的に鎌錠のロックを解消した状態）。
【図４】図３に於いて、ソレノイドが通電状態の場合の概略説明図。
【図５】図４に於いて、キーを用いて鎌片を受け金具に掛合する場合の中途の概略説明図。
【図６】鎌錠と伝動片との関係を示す概略説明図。
【図７】第２実施例の概略説明図（通電状態の場合）。
【図８】第２実施例の概略説明図（非通電状態の場合）。
【符号の説明】
１…引戸、２…錠ケース、３…鎌錠、４…シリンダー（ダルマあるいは回動体）、５…ピニオン部材、６…鎌片、９…カム突起、１０…アール、１２…小突起、２０…ラック部材、２２…係合突起、２５…ラックバネ、２９…戸枠、３０…ソレノイド、３１…フロント、３２、３４…開口、３３…受け金具、３５…作動杆、３６…磁性体、３６Ａ…電磁石、１４、３７…窓部、４０…回転係合体、４２…回転板用バネ、４４…前方アーム、４５…後方係止アーム、４６…被磁性体、４７…係止部、６０…係止解除機構、６１…第１伝動片、６５…第２伝動片。
【図１】
0003714638.tif 000002
【図２】
0003714638.tif 000003
【図３】
0003714638.tif 000004
【図４】
0003714638.tif 000005
【図５】
0003714638.tif 000006
【図６】
0003714638.tif 000007
【図７】
0003714638.tif 000008
【図８】
0003714638.tif 000009